【事件の表示】
　平成　４年特許願第２７１４１３号「液晶表示装置」拒絶査定に対する審判事件［平成　６年　４月２８日出願公開、特開平　６−１１８４３２］について、次のとおり審決する。
【結　論】
　本件審判の請求は、成り立たない。
【理　由】
１．手続きの経緯・本願発明の要旨
　本願は、平成４年１０月９日の出願であって、その発明は、平成１３年８月８日付けの手続補正書により補正された明細書及び図面の記載からみて、その特許請求の範囲に記載されたとおりのものであるところ、その請求項１に係る発明は、次のとおりのものである。
「一対の基板間の有機接着剤からなる封止部の内側に液晶が挟持されてなり、前記一対の基板の一方の基板の前記封止部の内側にはトランジスタと、前記トランジスタの上に絶縁膜を介して配置された画素電極と、前記トランジスタに接続されたドライバー回路とを有し、前記一方の基板の封止部に対向する領域で上記封止部の直下に前記絶縁膜が配置されてなることを特徴とする液晶表示装置。」（以下、「本願発明」という。）
　
２．引用刊行物
　これに対し、原査定の拒絶の理由に引用された、本願の出願前に頒布された特開昭５８−８５４７８号公報（以下、「刊行物１」という。）には、
「図においてＬＣはその水平及び垂直方向のマトリクス状に配列された各液晶表示部を示す。これら液晶表示部ＬＣは、その各一方の電極は、共通の電極とされて例えば接地電位とされ、他方の電極は夫々独立に絵素電極として導出される。また図において（１）は水平方向のシフトレジスタ、バッファ回路入力回路等を含む水平方向の制御回路部を示し、（２）は垂直方向のシフトレジスタ、バッファ回路等を含む垂直方向の制御回路部で、水平方向制御回路部（１）に表示信号が与えられて順次的にスイッチングＭＯＳトランジスタによって各液晶表示部を表示するようになされる。・・・・・第２図は本発明装置の略線的平面図で、第３図はその一部の拡大断面図を示す。まず第２図を参照して本発明装置の概略構成を説明するに、本発明においては、基板（１１）とこれに対向して設けられた透明基板（１２）との間に液晶（１３）を封入する液密空間を形成する。そして、その中央部において各絵素を構成する液晶表示部Ｅを配置し、その周辺の例えば四周に第１図で説明した制御回路（１）及び（２）を構成する周辺回路部Ｓを配置する。」（１頁右下欄７行〜２頁左上欄１７行）、
「導電層（１７）及び（２０）上を含んで例えば全面的に燐ガラス或いは砒素ガラス等の絶縁層（３３）を形成し、これの導電層（１７）及び（２０）上の所定部に窓が穿設され、これら窓を通じて導電層（１７）及び（２０）と電気的に連結する端子導出或いは各導電層（１７）及び（２０）の相互の接続等を行う金属配線層例えばΑｌ層（２２）が所定のパターンに形成されてこれの上に表面が平滑化されるようにいわゆるガラスフローされた燐ガラス或いはポリイミド系樹脂等による絶縁層（２３）が被着される。そしてこの絶縁層（２３）上に液晶（１３）に電圧を与えるための電極特に表示部Ｅすなわち各絵素に対応して設けられる絵素電極（２４）と、周辺回路部Ｓ上に対向する部分、言い換えれば本来の表示部以外で且つ液晶（１３）の四周に対する例えばリング状の周辺電極（２５）と、更に端子部（３２）とを配置する。各絵素電極（２４）はこれの下の例えば容量Ｃの一方の電極となる導電層（１７）に接続された金層配線層（２２）に、絶縁層（２３）に穿孔された窓を通じて電気的に接続される。電極（２４）及び（２５）上とこれらが形成されていない絶縁層（２３）上に渡って全面的にＳｉＯ２等の液晶の配向効果を得るための配向処理がなされた配向層（２６）が全面的に被着される。」（２頁左下欄１５行〜右下欄１６行）、
「（３０）は基板（１１）及び透明基板（１２）間の間隔を規制して液晶（１３）の封入空間の厚さを規制するスペーサとなり且つ液晶封入空間を液密に保持する障壁でまた（３１）はＡｇペースト或いはＩｎバンプ等よりなる導電体で、例えば遮光電極（２７）とこれに対応する端子部（３２）とを電気的に接続する。」（３頁左上欄１１行〜１６行）、及び、
「この例においても前述したと同様に基板（１１）と透明基板（１２）とを対向して設ける。そして両者間に形成した液密空間に液晶例えばネマチックツイスト型の液晶（１３）を配置し、その中央部において各絵素を構成する液晶表示部Ｅを構成し、その周辺の例えば四周に第１図で説明した制御回路部（１）及び（２）を構成する周辺回路部Ｓを構成するものであるが、特にこの例においては、基板（１１）を透明基板例えばサファイア基板によって構成し、このサファイア基板（１１）上に例えばエピタキシャル成長等による半導体層（４１）を形成し、これに第３図で説明したと同様の半導体回路を形成する。すなわちこの半導体層（４１）の周辺部に第１図で説明した制御回路（１）及び（２）を構成する周辺回路部Ｓを形成し、これより内側において表示部Ｅの複数の絵素部をマトリクス状に配列形成し、これらに対応して第１図で説明した各絵素に対応する駆動回路、すなわちＭＯＳ及びＣを配置する。
　この例においては容量Ｃを半導体層（４１）に設けられた高濃度領域（１８）この例ではＮ型の高濃度領域上に形成した薄い絶縁層（１９）を挟んでＭＯＳのドレイン領域（１４ｄ）にオーミックに連結された導電層（１７）との間に形成される静電容量と、更にこの導電層（１７）上に絶縁層（３３）を介して延在され且つ高濃度領域（１８）にオーミックに接続された例えばＴａよりなる電極層（４２）との間に形成された静電容量とまた更にこの電極層（４２）とこれのＴａの表面を酸化させたＴａ２Ｏ５よりなる絶縁層を介してこれの上に延在されドレイン領域（１４ｄ）と電気的に接続された金属導電層（２２）との間に形成された静電容量との並列接続された容量によって構成した場合である。
　そしてまたこの例においては、各絵素電極（２４）を透明電極例えばＳｎＯ２、ＴｉＯ３等によって形成する。
　また透明基板（１２）側には、各絵素間を分離するように格子状、または網状に遮光性導電層（４３）例えばＣｒ層−Ａｕ層、或いはＴｉ層−Ａｕ層の各積層構造の導電層を被着する。この遮光性導電層（４３）は、透明基板（１２）の周辺に設けられた遮光電極（２７）の形成と同時に形成し得、更に相互に連結してすなわち電気的に互いを接続されるように形成し得る。透明対向電極（２９）は少なくとも遮光性導電層（４３）が形成されていない格子ないしは網目内に被着され前述した例と同様にＳｉＯ２等の絶縁層（２８）に穿設した窓を通じて遮光電極（２７）に連結される。」（３頁左下欄最終行〜４頁右上欄４行）と記載され、
第１図には、水平方向のシフトレジスタ１及び垂直方向のシフトレジスタ２が、表示部のＭＯＳトランジスタと接続された液晶表示装置の回路図が、第２図には、液晶表示装置の略線的平面図が、また、第３図及び第４図には、ＭＯＳトランジスタ及び周辺回路を備えた液晶表示装置の断面図が、それぞれ示されている。
　また、同じく特開平４−１０００２２号公報（以下、「刊行物２」という。）には、
「下部透明ガラス基板４００表面には窒化珪素をプラズマＣＶＤ法により１μｍの膜厚に形成し、ホトリソグラフィにより端子部等を露出させ、窒化珪素保護膜４１７で画素全面を保護する。前記までの製造工程の平面図を第１０図に示す。
　液晶４５０は、下部透明ガラス基板４００と上部透明ガラス基板４０３との間に形成された空間内に、液晶分子の向きを設定する下部配向膜４１８及び上部配向膜４１９に規定され、封入されている。下部配向膜４１８は、下部透明ガラス基板４００側の窒化珪素保護膜４１７上部に形成される。」（９頁右下欄３行〜１５行）、及び、
「前記第６Ｂ図は一画素分の断面を示しているが、第６Ａ図は透明ガラス基板４００及び４０３の左側縁部分で外部引出し配線の存在する部分の断面を示している。第６Ｃ図は、透明ガラス基板４００及び４０３の右側縁部分で引出し配線の存在しない部分の断面を示している。
　第６Ａ図、第６Ｃ図の各々に示すシール材４６０は、液晶４５０を封入するように構成されており、液晶封入口（図示していない）をのぞく透明ガラス基板４００及び４０３の縁周囲全体に沿って形成されている。シール材４６０は、たとえば、エポキシ樹脂で形成されている。」（１０頁右上欄１０行〜左下欄１行）と記載され、
第６図には、液晶表示装置のＴＦＴを含む領域及びシール材を含む領域が示されている。
　
３．対比・判断
　上記刊行物１記載の発明（以下、「引用発明１」という。）における「基板１１」及び「透明基板１２」、「スペーサ３０」、「ＭＯＳ」、「絵素電極２４」、「周辺回路部Ｓ」が、本願発明における「一対の基板」、「封止部」、「トランジスタ」、「画素電極」、「ドライバー回路」に相当することは明らかである。
　また、刊行物１の第４図に示されたスペーサ３０領域で、スペーサ３０の下層でスペーサ３０に接している層は、この層が液晶層に接していること（第４図）及び第３図の記載からみて、配向層であることは明らかである。
　さらに、刊行物１の第４図に示されたスペーサ３０領域で、配向層の下層で配向層に接している層は、周辺回路Ｓ及び表示部Ｅの電極及び配線のレイアウトから見て、明らかに絶縁層であって、これは本願発明における「絶縁膜」に相当する。
　また、第１図の回路図からみて、ＭＯＳは、制御回路１及び２を構成する周辺回路部Ｓと接続されている。
　さらに、第２図から、スペーサ３０の内側に周辺回路部Ｓが配置されているように読みとれること、及び、第４図に示された断面図では、基板１１側には、スペーサ３０の外側に導電膜として端子部３２のみが存在していることを考慮すると、周辺回路部Ｓはスペーサ３０の内側に配置されているといえる。
　よって、本願発明と引用発明１とを比較すると、両者は、一対の基板間の封止部の内側に液晶が挟持されてなり、前記一対の基板の一方の基板の前記封止部の内側にはトランジスタと、前記トランジスタの上に絶縁膜を介して配置された画素電極と、前記トランジスタに接続されたドライバー回路とを有してなることを特徴とする液晶表示装置、である点で一致し、次の点で相違している。
　
（相違点）
（１）本願発明は、封止部が有機接着剤であるの対し、刊行物１には、封止部の材料が明記されていない点
（２）一方の基板の封止部に対向する領域で、本願発明は、封止部の直下に絶縁膜が配置されているのに対し、引用発明１は、封止部の直下には配向層が配置され、配向層の直下に絶縁膜が配置されている点
　
　以下、上記相違点について検討する。
（１）の点について
　シール部を有機接着剤とすることは、刊行物２にも「シール材は、たとえば、エポキシ樹脂で形成されている。」（１０頁右上欄最終行〜左下欄１行）と記載されているように、液晶表示装置においては、ごく普通に採用されていることであるから、引用発明１のシール部として有機接着剤を用いることに格別の困難性が認められない。
（２）の点について
　一方の基板の封止部に対向する領域で、封止部の直下に配向膜を配置せず絶縁膜を配置することは、刊行物２に記載されており、引用発明１における配向膜を、刊行物２記載の発明（以下、「引用発明２」という。）のように、一方の基板の封止部に対向する領域で、封止部の直下に配向膜を配置せず絶縁膜を配置することは、当業者が通常の創作力で想定できることである。
　
４．むすび
　以上のとおりであるから、本願発明は、引用発明１及び２に基づいて当業者が容易に発明をすることができたものであり、特許法第２９条第２項の規定により特許を受けることができない。
　よって、結論のとおり審決する。